(57)【特許請求の範囲】
【請求項１】
ディスプレイ等の第１情報出力装置と、当該第１情報出力装置と通信部を介して互いに情報の授受が可能に接続された増幅器等の第２情報出力装置と、前記第１情報出力装置及び前記第２情報出力装置に接続されるＡＶ機器と、から構成されるＡＶシステムにおいて、
前記第２情報出力装置は、
前記ＡＶ機器から出力された音情報を当該第２情報出力装置から出力するか否かを選択する手段と、
前記音情報を当該第２情報出力装置から出力すると選択された場合には、音量を制御するための制御情報を前記通信部を介して前記第１情報出力装置へ送信する手段と、を備え、
前記第１情報出力装置は、
前記ＡＶ機器から出力された音情報を当該第１情報出力装置から出力するか否かを選択する手段と、
前記音情報を当該第１情報出力装置から出力すると選択された場合には、音量を制御するための制御情報を前記通信部を介して前記第２情報出力装置へ送信する手段と、を備え、
さらに、前記第２情報出力装置は、前記制御情報を前記通信部を介して前記第１情報出力装置から受信した場合には、受信した制御情報に基づいて当該第２情報出力装置から出力される音量を制御する手段を備え、
前記第１情報出力装置は、前記制御情報を前記通信部を介して前記第１情報出力装置から受信した場合には、受信した制御情報に基づいて当該第２情報出力装置から出力される音量を制御する手段を備えることを特徴とするＡＶシステム。
【請求項２】
ディスプレイ等の第１情報出力装置と、当該第１情報出力装置と通信部を介して互いに情報の授受が可能に接続された増幅器等の第２情報出力装置と、前記第１情報出力装置及び前記第２情報出力装置に接続されるＡＶ機器と、から構成されるＡＶシステムにおける前記第２情報出力装置であって、
前記ＡＶ機器から出力された音情報を当該第２情報出力装置から出力するか否かを選択する手段と、
前記音情報を当該第２情報出力装置から出力すると選択された場合には、音量を制御するための制御情報を前記通信部を介して前記第１情報出力装置へ送信する手段と、
前記通信部を介して前記第１情報出力装置から音量を制御するための制御情報を受信した場合には、受信した制御情報に基づいて当該第２情報出力装置から出力される音量を制御する手段と、を備えることを特徴とする第２情報出力装置。
【請求項３】
ディスプレイ等の第１情報出力装置と、当該第１情報出力装置と通信部を介して互いに情報の授受が可能に接続された増幅器等の第２情報出力装置と、前記第１情報出力装置及び前記第２情報出力装置に接続されるＡＶ機器と、から構成されるＡＶシステムにおける前記第１情報出力装置であって、
前記ＡＶ機器から出力された音情報を当該第１情報出力装置から出力するか否かを選択する手段と、
前記音情報を当該第１情報出力装置から出力すると選択された場合には、音量を制御するための制御情報を前記通信部を介して前記第２情報出力装置へ送信する手段と、
前記通信部を介して前記第２情報出力装置から音量を制御するための制御情報を受信した場合には、受信した制御情報に基づいて当該第１情報出力装置から出力される音量を制御する手段と、を備えることを特徴とする第１情報出力装置。
【発明の詳細な説明】
【０００１】
本願は、ＡＶシステム、第２情報出力装置、第１情報出力装置の技術分野に属する。
【０００２】
【従来の技術】
近年、複数のオーディオビジュアル（以下、単にＡＶ（Audio Visual）と称する）装置（例えば、ＤＶＤ（Digital Versatile Disc）プレーヤ及びセットトップボックス等）から出力される音信号及び映像信号を、音信号再生用の増幅器と映像出力用のディスプレイとに夫々出力し、対応する音及び映像を楽しむ方法がある。そしてこの場合、スピーカに接続されて音信号の再生に最適化された増幅器に音信号を出力すると共にディスプレイに映像信号を出力することにより、対応する音及び映像をより高性能且つ最適に楽しむことができる。
【０００３】
なお、上記ディスプレイには、映像を表示するだけでなく当該表示されている映像に対応する音を当該映像と共に放音するスピーカが備えられている場合があり、この場合のディスプレイ内のスピーカにおける音量の調整は、上記増幅器における音量調整とは別個独立に当該ディスプレイにおいて行う必要がある。
【０００４】
【発明が解決しようとする課題】
しかしながら、上述した従来の構成によると、ＤＶＤプレーヤからの音情報に基づく音を増幅器に接続されているスピーカから出力するよう設定した場合において、その時点でディスプレイ内のスピーカから他の音を放音していたとき、増幅器に接続されているスピーカからの音のみを享受するためには、ディスプレイ上の操作部において当該ディスプレイ内のスピーカの音量を小さくしたり、あるいはいわゆるミュート動作（消音装置動作）させるための操作が必要となるという問題点があった。
【０００５】
更に、上記ミュート動作を行わせる場合、当該ミュート動作中、常にディスプレイ上に「ミュート」等の表示がされる場合があり、この場合には表示されている映像の視認に影響を及ぼす場合があるという問題点もあった。
【０００６】
そこで、本願は上記の各問題点に鑑みて為されたものであり、その課題の一例は、簡易な構成及び操作によって、ディスプレイにおける視認状態に影響を及ぼすことなく当該ディスプレイにおける音の出力状態を制御することが可能なＡＶシステム、第２情報出力装置、第１情報出力装置を提供することにある。
【０００７】
【課題を解決するための手段】
上記の問題点を解決するために、請求項１に記載のＡＶシステムは、ディスプレイ等の第１情報出力装置と、当該第１情報出力装置と通信部を介して互いに情報の授受が可能に接続された増幅器等の第２情報出力装置と、前記第１情報出力装置及び前記第２情報出力装置に接続されるＡＶ機器と、から構成されるＡＶシステムにおいて、前記第２情報出力装置は、前記ＡＶ機器から出力された音情報を当該第２情報出力装置から出力するか否かを選択する手段と、前記音情報を当該第２情報出力装置から出力すると選択された場合には、音量を制御するための制御情報を前記通信部を介して前記第１情報出力装置へ送信する手段と、を備え、前記第１情報出力装置は、前記ＡＶ機器から出力された音情報を当該第１情報出力装置から出力するか否かを選択する手段と、前記音情報を当該第１情報出力装置から出力すると選択された場合には、音量を制御するための制御情報を前記通信部を介して前記第２情報出力装置へ送信する手段と、を備え、さらに、前記第２情報出力装置は、前記制御情報を前記通信部を介して前記第１情報出力装置から受信した場合には、受信した制御情報に基づいて当該第２情報出力装置から出力される音量を制御する手段を備え、前記第１情報出力装置は、前記制御情報を前記通信部を介して前記第１情報出力装置から受信した場合には、受信した制御情報に基づいて当該第２情報出力装置から出力される音量を制御する手段を備えることを特徴とする。
【０００８】
上記の課題を解決するために、請求項２に記載の第２情報出力装置 は、ディスプレイ等の第１情報出力装置と、当該第１情報出力装置と通信部を介して互いに情報の授受が可能に接続された増幅器等の第２情報出力装置と、前記第１情報出力装置及び前記第２情報出力装置に接続されるＡＶ機器と、から構成されるＡＶシステムにおける前記第２情報出力装置であって、前記ＡＶ機器から出力された音情報を当該第２情報出力装置から出力するか否かを選択する手段と、前記音情報を当該第２情報出力装置から出力すると選択された場合には、音量を制御するための制御情報を前記通信部を介して前記第１情報出力装置へ送信する手段と、前記通信部を介して前記第１情報出力装置から音量を制御するための制御情報を受信した場合には、受信した制御情報に基づいて当該第２情報出力装置から出力される音量を制御する手段と、を備えることを特徴とする。
【０００９】
上記の課題を解決するために、請求項３に記載の第１情報出力装置は、ディスプレイ等の第１情報出力装置と、当該第１情報出力装置と通信部を介して互いに情報の授受が可能に接続された増幅器等の第２情報出力装置と、前記第１情報出力装置及び前記第２情報出力装置に接続されるＡＶ機器と、から構成されるＡＶシステムにおける前記第１情報出力装置であって、前記ＡＶ機器から出力された音情報を当該第１情報出力装置から出力するか否かを選択する手段と、前記音情報を当該第１情報出力装置から出力すると選択された場合には、音量を制御するための制御情報を前記通信部を介して前記第２情報出力装置へ送信する手段と、前記通信部を介して前記第２情報出力装置から音量を制御するための制御情報を受信した場合には、受信した制御情報に基づいて当該第１情報出力装置から出力される音量を制御する手段と、を備えることを特徴とする。
【００１２】
【発明の実施の形態】
次に、本願に好適な実施の形態について、図面に基づいて説明する。
【００１３】
なお、以下に説明する実施の形態は、放送電波を受信して当該放送電波により伝送されてくる映像及び音声を出力することが可能なディスプレイと、映像情報及び音情報を夫々に出力することが可能なＤＶＤプレーヤと、を含み、当該放送電波により伝送された映像及びＤＶＤプレーヤからの映像情報に対応する映像をディスプレイに出力すると共に、当該ＤＶＤプレーヤからの音情報を増幅器を介してスピーカから出力するように構成されているＡＶ（Audio Visual）システムに対して本願を適用した場合の実施形態である。
【００１４】
（Ｉ）実施形態
始めに、本願に係る実施形態について、図１乃至図３を用いて説明する。
【００１５】
（Ａ）ＡＶシステムの全体構成及び機能
先ず、実施形態に係るＡＶシステムの構成及び機能を図１を用いて説明する。なお、図１は実施形態に係るＡＶシステムの概要構成を示すブロック図である。
【００１６】
図１に示すように、実施形態のＡＶシステムＴは、第２情報出力装置としての増幅器１と、第１情報出力装置としてのディスプレイ２と、ＤＶＤプレーヤ３と、により構成されている。
【００１７】
このとき、増幅器１とディスプレイ２とは、ローカルエリアネットワーク等である通信網ＮＴにより接続されており、更に、増幅器１はＤＶＤプレーヤ３とコードＣsaを介して接続されており、また、ディスプレイ２はＤＶＤプレーヤ３とコードＣvaを介して接続されている。
【００１８】
そして、ＤＶＤプレーヤ３において再生された他の第２情報としての音情報が、コードＣsaを介して増幅器１に備えられた後述の外部入力部１１に出力され、他方、ＤＶＤプレーヤ３において再生された他の第１情報としての映像情報はコードＣvaを介してディスプレイ２に備えられた外部入力部２５に出力されている。
【００１９】
（Ｂ）増幅器の細部構成及び機能
次に、上記増幅器１の細部構成及び機能について説明する。
【００２０】
当該増幅器１は、いわゆるＡＶアンプとして構成されているものであり、入力された音信号に対して音量調整、トーン調整又はバランス調整等の音質調整処理等を施し、所望の音信号を接続された後述のスピーカ１２に出力する。
【００２１】
より具体的には、当該増幅器１は、図１に示すように、電源部１０と、外部入力部１１と、音量調節部１３ａ及び音質調節部１３ｂを含む音調節部１３と、コントローラ１４と、通信部１５と、各構成部材を制御する制限手段としての制御部１６と、により構成されており、当該各構成部材並びに外部のスピーカ１２は、バス１７を介して相互に情報の授受が可能に接続されている。
【００２２】
このとき、外部入力部１１には上述したようにコードＣsaを介してＤＶＤプレーヤ３の音情報出力端子が接続されており、当該コードＣsaを介してＤＶＤプレーヤ３からの音情報が増幅器１内に入力され、後述する諸調整が施された後にスピーカ１２から放音される。
【００２３】
一方、音調節部１３内の音量調節部１３ａは、上記スピーカ１２から放音される音の音量を調節するためのものであり、更に音質調節部１３ｂはいわゆるラウドネス調整やトーン調整等、当該放音される音の質を調節するためのものである。
【００２４】
そして、操作用のリモートコントローラ等からなるコントローラ１４は、例えば外部入力部１１に複数の装置が接続されている場合、一の装置がコントローラ１４によって選択されると、選択された装置から出力される音情報に基づく音が放音されるよう、制御部１６により各構成部材の接続関係が制御される。
【００２５】
ここで、実施形態においては、当該コントローラ１４に備えられた図示しない外部入力ボタンが選択されたか否かを判断し、当該外部入力ボタンが選択された場合には、ＤＶＤプレーヤ３からの音情報に基づく音がスピーカ１２から放音されるよう制御されると共に、ディスプレイ２においてそれまで実行されていた放音を中断するように当該ディスプレイ２内のスピーカ等を制御する音量制御情報が制御部１６の制御に基づいて生成され、上記通信部１５を介してディスプレイ２へ送信される。
【００２６】
そして、当該音量制御情報を受信したディスプレイ２においては、当該音量制御情報に基づいて当該ディスプレイ２内の後述のスピーカにおける音量をゼロとするよう制御する。これにより、ディスプレイ２から出力される音の影響を受けることなく増幅器１に接続されたスピーカ１２からの音を聴取することができる。
【００２７】
他方、通信部１５は、通信網ＮＴを介して上記ディスプレイ２に対して上記音量制御情報の送信を行う。
【００２８】
これらの動作に対して、制御部１６は、ＣＰＵ（Central Processing Unit）、作業用ＲＡＭ（Random Access Memory）、通信処理プログラム等を含む各種制御プログラムやデータ等を記憶するＲＯＭ（Read Only Memory）及び発振回路等を備えており、図示しない操作部からの操作信号に基づいて、当該操作信号に含まれている操作情報の内容に対応する動作を実現すべく上記各構成部材を統轄制御するための制御情報を生成し、これを、バス１７を介して該当する構成部材に出力する。
【００２９】
また、制御部１６は、上記コントローラ１４によってＤＶＤプレーヤ３からの音情報に基づいて音を放音することが選択されると、上記音量制御情報を生成して通信部１５及び通信網ＮＴを介してディスプレイ２へ送信する。
【００３０】
（Ｃ）ディスプレイの細部構成及び機能
次に、上記ディスプレイ２の細部構成及び機能について説明する。
【００３１】
図１に示すディスプレイ２は、具体的には、プラズマディスプレイ、ＣＲＴ（Cathode Ray Tube）、液晶ディスプレイ等より構成されるものであり、入力された映像情報に対応する動画像又は静止画像を表示すると共に、当該映像に対応する音を出力するもので、具体的には、電源部２０と、アンテナ部２１と、スピーカ２２と、音量調節部２３ａ及び音質調節部２３ｂを含む音調節部２３と、コントローラ２４と、外部入力部２５と、表示部２６と、通信部２７と、記憶手段としての記憶部２８と、上記各構成部材を制御する復帰手段としての制御部２９と、により構成されており、各構成部材はバス３０を介して相互に情報の授受が可能に接続されている。
【００３２】
このとき、アンテナ部２１は、放送局等から送信されてくる放送電波を受信し、当該受信された放送電波により伝送されて来た音情報に対応する音がスピーカ２２により放音されると共に、当該伝送されてきた映像情報に対応する映像が表示部２６にて表示される。
【００３３】
そして、音調節部２３内の音量調節部２３ａは、アンテナ部２１において受信された音情報に基づく音の音量を調節するためのものであり、更に音質調節部２３ｂは上記ラウドネス調整やトーン調整等、当該放音される音の質を調節するためのものである。
【００３４】
より具体的には、図示しないボリュームつまみや高音／低音のレベルつまみ等を備えるコントローラ２４を用いて使用者が所望のボリューム値や音質を設定すると、スピーカ２２から放音される音が当該設定されたボリューム値や音質に対応する音になるよう音量調節部２３ａ及び音質調節部２３ｂが機能する。
【００３５】
これに加えて、実施形態の音量調節部２３ａは、上記通信部２７にて増幅器１からの上記音量制御情報を受信すると、スピーカ２２より放音される音の音量を当該音量制御情報に従ってゼロに調節する。
【００３６】
一方、記憶部２８は、当該音量制御情報に基づいて音量を制御する直前にスピーカ２２から放音されていた音の音量を制御前音量として記憶し、使用者によって上記コントローラ２４において元の音量に戻す旨の操作などのスピーカ２２からの出力状態に係る何らかの操作が実行されると、音量調節部２３ａは当該記憶されていた制御前音量に基づいて元の音量に復帰するよう制御する。この機能により、使用者が再度アンテナ部２１によって受信される音情報に基づく音を放音させることを所望する場合においては、コントローラ２４でボリューム値の再調整等を実行することなく、瞬時に元の音量に復帰することが可能になる。
【００３７】
他方、外部入力部２５には、コードＣvaを介してＤＶＤプレーヤ３からの映像情報が入力されている。
【００３８】
また、表示部２６は、上記プラズマディスプレイ、ＣＲＴ又は液晶ディスプレイ等により構成されており、上記アンテナ部２１より受信した映像情報や、上記外部入力部２５より入力される映像情報に対応する映像を表示する。
【００３９】
更に、通信部２７は、通信網ＮＴを介して上記増幅器１からの上記音量制御情報を受信する。
【００４０】
これらの動作に対して、制御部２９は、ＣＰＵ、作業用ＲＡＭ、通信処理プログラム等を含む各種制御プログラムやデータ等を記憶するＲＯＭ及び発振回路等を備えており、図示しない操作部からの操作信号に基づいて、当該操作信号に含まれている操作情報の内容に対応する動作を実現すべく上記各構成部材を統轄制御するための制御情報を生成し、これを、バス３０を介して該当する構成部材に出力する。
【００４１】
更に、制御部２９は、上記通信部２７において上記音量制御情報が受信されると、スピーカ２２より放音されるアンテナ部２１より受信した音情報に基づく音の音量を当該音量制御情報に従って調節する。
【００４２】
（Ｄ）音量制御動作の実施形態
次に、図１乃至図３を参照して、本願に係る音量制御処理について、具体的に説明する。
【００４３】
なお、図２は増幅器１の制御部１６における本願に係る音量制御処理を示すフローチャートであり、図３はディスプレイ２の制御部２９における本願に係る音量制御処理を示すフローチャートである。
【００４４】
先ず、図２を用いて、増幅器１からディスプレイ２へ上記音量制御情報を出力する処理について説明する。
【００４５】
なお、図２のフローチャートにより示される処理は、制御部１６内の図示しないＲＯＭに予め記憶されている音量制御情報提供プログラムに基づいて当該制御部１６により実行されるものである。
【００４６】
当該音量制御処理においては、図２に示すように、先ず、コントローラ１４上で外部入力ボタンが選択されたか否かを制御部１６により判断し（ステップＳ１１）、外部入力ボタンが選択されていないと判断した場合には処理を終了する(ステップＳ１１：Ｎｏ)。他方、当該外部入力ボタンが選択されたと判断した場合には（ステップＳ１１：Ｙｅｓ）、上記音量制御情報を生成し（ステップＳ１２）、当該生成された音量制御情報を通信部１５及び通信網ＮＴを介してディスプレイ２へ送信し（ステップＳ１３）、増幅器１における音量制御処理を終了する。
【００４７】
以上の動作により、増幅器１にてＤＶＤプレーヤ３からの音情報に基づく音をスピーカ１３にて放音するよう選択されると、ディスプレイ２におけるそれまでの放音を中断するための音量制御情報が当該ディスプレイ２へ送信されるのである。
【００４８】
次に、図３を用いて、増幅器１から音量制御情報を受信したディスプレイ２における音量制御処理について説明する。
【００４９】
なお、図３のフローチャートにより示される処理は、制御部２９内の図示しないＲＯＭに予め記憶されている指示情報受信プログラムに基づいて当該制御部２９により実行される。
【００５０】
当該音量制御処理においては、図３に示すように、先ず、通信部２７において上記音量制御情報を受信したか否かを制御部２９において判断し（ステップＳ２１）、当該音量制御情報を受信していないと判断した場合には（ステップＳ２１：Ｎｏ）そのまま実施形態に係る音量制御処理を終了し、一方音量制御情報を受信したと判断した場合には（ステップＳ２１：Ｙｅｓ）、次に当該受信した時点でスピーカ２２から放音されている音の音量を制御前音量として記憶部２７に記憶する（ステップＳ２２）。
【００５１】
そして、受信した音量制御情報に基づき、音量調節部２３ａにより音量を調節してゼロとする（ステップＳ２３）。
【００５２】
以上説明したように、実施形態のＡＶシステムＴにおける音量制御処理によれば、増幅器１にてＤＶＤプレーヤ３からの音情報に基づく音を放音することがコントローラ１４によって選択された場合に、ディスプレイ２におけるそれまでの放音を中断するための音量制御情報を当該ディスプレイ２へ送信することにより、ディスプレイ２からの音の影響を受けることなくスピーカ１２からの音をのみ聴取することができる。
【００５３】
なお、実施形態においては、放音を中断する旨の音量制御情報を用いているが、これ以外に、当該音量制御情報がディスプレイ２において受信された場合に、スピーカ２２から放音される音の音量を予め記憶されていた所定の音量とするように制御することもできる。
【００５４】
更に、本実施形態においてはＤＶＤプレーヤ３からの音情報に基づく音の放音がコントローラ１４において選択された場合に上記音量制御情報を生成するよう構成したが、これ以外に、コントローラ１４において増幅器１のスピーカ１２からの出力状態に係る何らかの操作がされた場合には、いずれも音量制御情報を生成し、上記通信部１５を介してディスプレイ２へ送信するよう構成してもよい。
【００５５】
更にまた、実施形態においてはディスプレイ２に記憶部２８を備え、音量の制御が行われる直前の音量をこれに記憶させ、コントローラ２４において元の音量に戻す旨の操作などのスピーカ２２からの出力状態に係る何らかの操作が実行されると、瞬時に元の音量に戻るよう構成したが、これ以外に、制御部２９の制御に基づいて徐々に元の音量に戻るよう制御してもよい。
【００５６】
また、本実施形態においては増幅器１においてコードＣsaを介して接続さているＤＶＤプレーヤ３からの音情報に基づく音を放音するよう操作された場合に、通信網ＮＴを介して接続されるディスプレイ２に上記音量制御情報を送信するよう構成したが、これ以外に、ディスプレイ２から増幅器１に音量制御情報を送信するよう構成してもよい。
【００５７】
更には、増幅器１において音調節部１３が調節されると、通信網ＮＴを介して接続された全ての他の装置に対して音量制御情報を送信するよう構成してもよい。この構成によれば、増幅器１が操作されるときに当該増幅器１に具備されるスピーカ１２のみから放音させるようにすることができる。つまり、操作が行われた増幅器１に通信網ＮＴを介して接続された他の装置に具備するスピーカからの放音をさせないようにすることで、上記他の装置からの音の影響を受けることがなくなる。
【００５８】
（II）変形形態
次に、本願に係る変形形態について、図４を用いて説明する。なお、図４は変形形態に係るＡＶシステムの概要構成を示すブロック図であり、実施形態と同様の構成部材については、同様の部材番号を付して細部の説明は省略する。
【００５９】
図４に示すように、変形形態のＡＶシステムＴにおいては、ＤＶＤプレーヤ３の音情報及び映像情報が共にコードＣsa及びＣvaを介して増幅器１に入力され、当該増幅器１から映像情報が、コードＣva2を介してディスプレイ２に入力されるよう構成されている。
【００６０】
この場合、増幅器１は、映像情報が入力される外部入力部１８inと映像情報が出力される外部出力部１８outとを備え、ＤＶＤプレーヤ３からの映像情報が外部入力部１８inより入力され、増幅器１内部の制御部１６の映像制御プログラムにより映像処理が施された後に外部入力部１８outからコードＣva2を介してディスプレイ２の外部入力部２５に出力する。
【００６１】
このような構成に対しても、増幅器１にてＤＶＤプレーヤ３からの音情報に基づく音の放音がコントローラ１４によって選択されると、瞬時にディスプレイ２のスピーカ２２からの放音を中断し、且つ、対応する映像をディスプレイ２の表示部２６に表示させることで、上記実施形態と同様に本願を適用することができる。
【００６２】
更に、ＤＶＤプレーヤ３からの音情報がディスプレイ２の図示しない外部入力部に入力されるように接続されている構成に対しても本願は適用可能である。このような場合には、増幅器１に接続されたスピーカ１２からの放音を開始するときにディスプレイ２内のスピーカ２２からの放音を中断するように制御することで、音情報に基づく音が増幅器１のスピーカ１２とディスプレイ２のスピーカ２２の双方から放音されるという事態を回避し、増幅器１のスピーカ１２からの音のみを聴取することができる。
【００６３】
また、図２及び図３に示すフローチャートに対応するプログラムをフレキシブルディスク又はハードディスク等の情報記録媒体に記録しておき、又は、インターネット等のネットワークを介して取得して記録しておき、これらをマイクロコンピュータ等の汎用のコンピュータで読み出して実行することにより、当該コンピュータを本実施形態に係る制御部１６又は２９として機能させることも可能である。
【図面の簡単な説明】
【図１】実施形態に係るＡＶシステムの概要構成を示すブロック図である。
【図２】音量制御情報提供処理を示すフローチャート（Ｉ）である。
【図３】音量制御情報受信処理を示すフローチャート（II）である。
【図４】変形形態に係るＡＶシステムの概要構成を示すブロック図である。
【符号の説明】
１…増幅器
２…ディスプレイ
３…ＤＶＤプレーヤ
１０、２０…電源部
１１、２５、１８in…外部入力部
１８out…外部出力部
１２…スピーカ
１３、２３…音調節部
１３ａ、２３ａ…音量調節部
１３ｂ、２３ｂ…音質調節部
１４、２４…コントローラ
１５、２７…通信部
１６、２９…制御部
１７、３０…バス
２１…アンテナ部
２２…スピーカ
２６…表示部
２８…記憶部
Ｃsa、Ｃva、Ｃva2…コード
ＮＴ…通信網
【図１】
0004246001.tif 000002
【図２】
0004246001.tif 000003
【図３】
0004246001.tif 000004
【図４】
0004246001.tif 000005